(57)【特許請求の範囲】
【請求項１】
圧縮機を有するヒートポンプ回路と、浴槽と、前記ヒートポンプ回路の冷媒と前記浴槽の浴槽水が熱交換する風呂熱交換器を有する浴槽水回路と、ヒートポンプ回路の冷媒と給湯水が熱交換する給湯熱交換器を有する給湯水回路と、浴槽内に設けて、浴槽水を浴槽水回路から浴槽へ戻す吐出開口部と浴槽水を浴槽から浴槽水回路へ戻す吸入開口部を有する風呂アダプターを備え、吐出開口部は、浴槽水を浴槽水面へ向けて吹き出す吐出開口部と、浴槽底面へ向けて吹き出す吐出開口部を有するとともに、前記浴槽水回路の浴槽水を前記吸入開口部より浴槽へ戻し、浴槽水の浴槽水を前記吐出開口部より前記風呂熱交換器へ戻すように前記浴槽水回路と前記風呂アダプターとの接続を行った場合にも、吸入開口部の一方は浴槽水を浴槽水面へ向けて吹き出し、他方は浴槽底面へ向けて吹き出す構成としたことを特徴とするヒートポンプ風呂給湯機。
【請求項２】
浴槽水を浴槽側壁面へ向けて吹き出す吐出開口部を備えたことを特徴とする請求項１記載のヒートポンプ風呂給湯機。
【発明の詳細な説明】
【０００１】
【発明の属する技術分野】
本発明は、ヒートポンプサイクルを利用して外部（大気熱や太陽熱、浴槽水の温熱、または、温熱を有する貯水槽など）から熱を汲み上げ、冷媒で給湯水、および、浴槽水を加熱するヒートポンプ風呂給湯機に関するものである。
【０００２】
【従来の技術】
従来、浴槽水回路と浴槽を接続する風呂アダプターには、例えば、実開平２−３０８４５号公報に記載されているようなものがあった。また、この種のヒートポンプ風呂給湯機としては、例えば、特開平７−７１８３９号公報に記載されているようなものがあった。図１０は、前記公報に記載された風呂アダプターを示すものであり、図１１は、前記公報に記載された従来のヒートポンプ風呂給湯機を示すものである。
【０００３】
図１０において、風呂アダプター３は、浴槽水回路２からの浴槽水を浴槽１へ吹き出すための開口部４を有し、浴槽水を浴槽１の底面部へ向けて吹き出すように設置されている
。
【０００４】
図１１に示すヒートポンプ風呂給湯機において、１０は圧縮機、１１、１２は膨張弁、１３は貯水槽１５の給湯水と圧縮機１０から吐出された冷媒が熱交換する給湯熱交換器、１４は給湯水回路、１６は給湯水を搬送する給湯水ポンプ、２１は圧縮機１から吐出された冷媒が循環するヒートポンプ回路、１７は浴槽１の浴槽水とヒートポンプ回路２１を循環する冷媒が熱交換する風呂熱交換器、１８は浴槽水を風呂熱交換器１７と浴槽１の間を循環させる風呂ポンプ、１９は大気とヒートポンプ回路２１の冷媒が熱交換する大気熱交換器、２０ａ、２０ｂ、２０ｃ、２０ｄ、２０ｅはヒートポンプ回路２１に設置して、ヒートポンプ回路を開閉する回路開閉弁である。
【０００５】
上記構成において、浴槽水の温熱、あるいは大気熱を熱源として、給湯水の加熱運転を行うときは以下のように行う。回路開閉弁２０ａ、２０ｂ、２０ｃ、２０ｄ、２０ｅの開閉操作を行い、風呂熱交換器１７、あるいは、大気熱交換器１９で、浴槽水の温熱、あるいは大気熱をヒートポンプ回路２１の冷媒によって吸熱させ、圧縮機１０で高温高圧となった冷媒を給湯熱交換器１３で給湯水と熱交換させて、給湯水の加熱を行う。
【０００６】
【発明が解決しようとする課題】
しかしながら、従来の風呂アダプター３は、浴槽水が風呂アダプター３から浴槽１内へ吹き出す向きは、浴槽水を加熱する時に浴槽が効率よく攪拌するように構成されており、ヒートポンプサイクルを利用して浴槽の浴槽水の温熱を熱源とし、冷媒で給湯水の加熱を行うヒートポンプ風呂給湯機に用いたときは、浴槽水の温熱を有効に給湯水の加熱に利用出来ない状態で運転を終了していた。
【０００７】
ヒートポンプ風呂給湯機で、ヒートポンプサイクルを利用して、浴槽の温熱を熱源とし、冷媒で給湯水の加熱を行ったとき、浴槽１の浴槽水は風呂熱交換器１７で冷媒から吸熱されて低温になった後、浴槽１に戻る。しかし、浴槽１に戻った浴槽水の温度は、浴槽１内に残る浴槽水の温度より低いので、両浴槽水の間には密度差が生じ、密度の大きい低温の浴槽水は浴槽１の底部に向けて流れる。従って、風呂熱交換器１７で冷媒から吸熱されて低温となった浴槽水は、浴槽１内の浴槽水と十分に撹拌されることなく、浴槽１の底部に低温の層を形成する。従って、浴槽１の浴槽水は図１２に示すように、底部の温度が低く上部の温度が高い温度分布となる。このまま運転を続けていくと、浴槽１の底部の低温の層は厚みを増していき、浴槽１の風呂アダプター３まで達したときは、吸入される浴槽水の温度は著しく低下する。浴槽１から吸入される浴槽水温度が低下すると、ヒートポンプサイクルの効率が低下するばかりでなく、循環している浴槽水が吸熱された後で凍結する可能性があるため、浴槽上層部の浴槽水の温熱を有効に給湯に利用しないまま給湯水の加熱運転を終了しなければならない。
【０００８】
また、浴槽１内の浴槽水を加熱する場合でも、浴槽１内には浴槽水面の温度が高く、浴槽底部の温度が低いような温度分布が形成されるため、入浴者が浴槽１へ入ったときに不快に感じることもあり、事前に人為的に浴槽１の浴槽水を桶等で撹拌する必要があった。
【０００９】
本発明は、前記従来の課題を解決するもので、浴槽内に形成された浴槽水の温度分布を均一にして、浴槽内の浴槽水の温熱を最大限に利用して給湯水の加熱運転を行い、さらに、快適な浴槽環境を提供できるヒートポンプ風呂給湯機を提供することを目的としている。
【００１０】
【課題を解決するための手段】
本発明は上記課題を解決するために、圧縮機を有するヒートポンプ回路と、浴槽と、前記ヒートポンプ回路の冷媒と前記浴槽の浴槽水が熱交換する風呂熱交換器を有する浴槽水回路と、ヒートポンプ回路の冷媒と給湯水が熱交換する給湯熱交換器を有する給湯水回路と、浴槽内に設けて、浴槽水を浴槽水回路から浴槽へ戻す吐出開口部と浴槽水を浴槽から浴槽水回路へ戻す吸入開口部を有する風呂アダプターを備え、吐出開口部は、浴槽水を浴槽水面へ向けて吹き出す吐出開口部と、浴槽底面へ向けて吹き出す吐出開口部を有するとともに、前記浴槽水回路の浴槽水を前記吸入開口部より浴槽へ戻し、浴槽水の浴槽水を前記吐出開口部より前記風呂熱交換器へ戻すように前記浴槽水回路と前記風呂アダプターとの接続を行った場合にも、吸入開口部の一方は浴槽水を浴槽水面へ向けて吹き出し、他方は浴槽底面へ向けて吹き出す構成としたことを特徴とするヒートポンプ風呂給湯機としたものである。
【００１１】
これによって、風呂アダプターの吐出開口部より浴槽水面に向けて吹き出した浴槽水と、吐出開口部より浴槽底面に向けて吹き出した浴槽水によって、浴槽内の浴槽水を効率よく撹拌することが出来るので、浴槽の浴槽水の温熱を利用して給湯水の加熱運転を行うときに、浴槽の浴槽底部の温度が低く水面近傍部分が高いような温度分布が形成されない。また、誤って浴槽水回路流出口と風呂アダプター流出口、浴槽水回路流入口と風呂アダプター流入口を接続するような逆接続を行っても、風呂アダプターの吸入開口部より浴槽水面に向けて吹き出した浴槽水と、他の吸入開口部より浴槽底面に向けて吹き出した浴槽水によって、浴槽が効率よく撹拌するとことが出来るので、浴槽の浴槽水の温熱を最大限に利用して給湯水の加熱運転を行う効率の高いヒートポンプ風呂給湯機とすることが出来るとともに、装置の設置時の施工性が大幅に向上する。
【００１２】
【発明の実施の形態】
請求項１に記載の発明は、圧縮機を有するヒートポンプ回路と、浴槽と、前記ヒートポンプ回路の冷媒と前記浴槽の浴槽水が熱交換する風呂熱交換器を有する浴槽水回路と、ヒートポンプ回路の冷媒と給湯水が熱交換する給湯熱交換器を有する給湯水回路と、浴槽内に設けて、浴槽水を浴槽水回路から浴槽へ戻す吐出開口部と浴槽水を浴槽から浴槽水回路へ戻す吸入開口部を有する風呂アダプターを備え、吐出開口部は、浴槽水を浴槽水面へ向けて吹き出す吐出開口部と、浴槽底面へ向けて吹き出す吐出開口部を有するとともに、前記浴槽水回路の浴槽水を前記吸入開口部より浴槽へ戻し、浴槽水の浴槽水を前記吐出開口部より前記風呂熱交換器へ戻すように前記浴槽水回路と前記風呂アダプターとの接続を行った場合にも、吸入開口部の一方は浴槽水を浴槽水面へ向けて吹き出し、他方は浴槽底面へ向けて吹き出す構成としたことを特徴とするヒートポンプ風呂給湯機とすることにより、風呂アダプターの吐出開口部より浴槽水面に向けて吹き出した浴槽水と、他の吐出開口部より浴槽底面に向けて吹き出した浴槽水によって、浴槽内の浴槽水を効率よく撹拌することが出来るので、浴槽内の浴槽水の温熱を利用して給湯水の加熱運転を行うときに、浴槽の浴槽底部の温度が低く浴槽水面近傍部分が高いような温度分布が形成されない。従って、浴槽の浴槽水の温熱を最大限に利用して給湯水の加熱を行う効率の高いヒートポンプ風呂給湯機とすることが出来る。
【００１３】
また、誤って浴槽水回路流出口と風呂アダプター流出口、浴槽水回路流入口と風呂アダプター流入口を接続するような逆接続を行っても、風呂アダプターの吸入開口部より浴槽水面に向けて吹き出した浴槽水と、他の吸入開口部より浴槽底面に向けて吹き出した浴槽水によって、浴槽が効率よく撹拌するとことが出来るので、浴槽の浴槽水の温熱を最大限に利用して給湯水の加熱運転を行う効率の高いヒートポンプ風呂給湯機とすることが出来るとともに、装置の設置時の施工性が大幅に向上する。
【００１４】
請求項２に記載の発明は、浴槽水を浴槽側壁面へ向けて吹き出す吐出開口部を備えたことを特徴とする請求項１記載のヒートポンプ風呂給湯機とすることにより、風呂アダプターの吐出開口部より浴槽水面に向けて吹き出した浴槽水と、他の吐出開口部より浴槽側壁面へ向けて吹き出した浴槽水と、さらに他の吐出開口部より浴槽底面に向けて吹き出した浴槽水によって、浴槽の形状によらず浴槽を効率よく撹拌することが出来るので、浴槽の浴槽水の温熱を最大限に利用して給湯水の加熱運転を行う効率の高いヒートポンプ風呂給湯機とすることが出来る。また、風呂アダプターの浴槽への設置と取り付け時の回転角度の自由度が増すので、設置の施工性が向上する。
【００１５】
【実施例】
以下、本発明の実施例について図面を用いて説明する。
【００１６】
（実施例１）
図１は、本発明の実施例１における風呂アダプターの垂直断面の模式図を示すものである。図１において、５は浴槽水回路９と浴槽１の間で浴槽水を連通させるための風呂アダプター、７ａは浴槽水回路９の浴槽水を浴槽１の水面へ向けて吹き出すように設けた吐出開口部、７ｂは浴槽水回路９の浴槽水を浴槽１の底面へ向けて吹き出すように設けた吐出開口部、８は浴槽１の浴槽水を浴槽水回路９へ送るための吸入開口部である。９ａは浴槽水回路９の浴槽水が流出する浴槽水回路流出口、９ｂは浴槽１の浴槽水が浴槽水回路９へ戻る浴槽水回路流入口、６ａは浴槽水回路９の浴槽水を吐出開口部７ａ、７ｂへ導く風呂アダプター流入口、６ｂは浴槽１の浴槽水を浴槽水回路流入口９ｂへ導く風呂アダプター流出口である。
【００１７】
図２は、ヒートポンプ給湯機に風呂アダプター５を設置したときの構成図、図３はヒートポンプサイクルの形態が異なるヒートポンプ給湯機に風呂アダプター５を設置したときの構成図を示すものである。なお、図２、図３において同一部品には同一番号を附記して以下の動作説明で説明していくが、図３に示す２２ａ、２２ｂは回路開閉弁、２３ａ、２３ｂ、２３ｃは逆止弁、２４は回路切替弁である。
【００１８】
図２の構成において、ヒートポンプサイクルを利用して、浴槽１の浴槽水の温熱を熱源として、冷媒で給湯水の加熱を行うときは、従来と同様の運転を行う。また、図３の構成において、ヒートポンプサイクルを利用して、浴槽１の浴槽水の温熱を熱源として、冷媒で給湯水の加熱を行う。
【００１９】
以下その動作を説明する。冷媒が、圧縮機１０、回路切替弁２４、給湯熱交換器１３、回路開閉弁２２ｂ、膨張弁１２、風呂熱交換器１７、回路切替弁２４、逆止弁２３ｂ、圧縮機１０の順に流れるように、回路切替弁２４、回路開閉弁２２ａ、２２ｂを操作する。圧縮機１０を運転して冷媒を高温高圧に加圧し、給湯熱交換器１３に送る。給湯熱交換器１３に給湯器１５からの給湯水を搬送すると、給湯水は冷媒と熱交換して高温の給湯水となる。風呂ポンプ１８を動作させて浴槽１の浴槽水を浴槽水回路９、風呂熱交換器１７の順に搬送し、膨張弁１２を通過して低温低圧となった冷媒と浴槽水を熱交換させて、冷媒に浴槽水の熱を吸熱させる。その後、温度の低くなった浴槽水は、風呂アダプター５を通じて浴槽１に戻る。
【００２０】
また、ヒートポンプサイクルを利用して、大気熱を熱源として、冷媒で浴槽１の浴槽水の加熱運転をするときは、以下のような運転を行う。冷媒が、圧縮機１０、回路切替弁２４、風呂熱交換器１７、逆止弁２３ｃ、回路開閉弁２２ａ、膨張弁１１、集熱器１９、逆止弁２３ａ、圧縮機１０の順に流れるように、回路切替弁２４、回路開閉弁２２ａ、２２ｂを操作する。浴槽１の浴槽水を風呂ポンプ１８により浴槽水回路９、風呂熱交換器１７の順に送り、そして、圧縮機１０を運転して冷媒を高温高圧に加圧し、風呂熱交換器１７に送る。浴槽水は風呂熱交換器１７で冷媒と熱交換して恒温の浴槽水となる。冷媒は集熱器１９で大気の熱を吸熱し、その後、圧縮機１で高温高圧に加圧され風呂熱交換器１７に再び送られる。温度の高くなった浴槽水は、風呂アダプター５を通じて浴槽１に戻る。
【００２１】
従来の風呂アダプター３を用いて、浴槽水の温熱を利用して、給湯水の加熱運転を行うと、浴槽１に図１２のような浴槽水の温度分布が形成される。本実施例の構成においては、風呂ポンプ１８によって搬送された浴槽水は、浴槽水回路流出口９ａ、風呂アダプター流入口６ａを経由して風呂アダプター５の吐出開口部７ａより浴槽水面に向けて吹き出し、さらに、吐出開口部７ｂより浴槽底面に向けて吹き出す。この浴槽水面と底面へ向けて吹き出した両方の浴槽水の流れによって、浴槽１内の浴槽水を効率よく撹拌することが出来る。従って、図１２に示すような浴槽の底部の温度が低く表層が高いような温度分布が形成されないので、浴槽１の浴槽水の温熱を最大限に活用して給湯水の加熱運転を行う効率の高いヒートポンプ風呂給湯機とすることが出来る。浴槽１の浴槽水は、吸入開口部８より風呂アダプター５に吸入されたあとに、風呂アダプター流出口６ｂ、浴槽水回路流入口９ｂを経由して浴槽水回路９へ戻る。
【００２２】
さらに、浴槽１の浴槽水の加熱を行うときも同様に、風呂アダプター５の吐出開口部７ａより浴槽水面に向けて吹き出した浴槽水と、吐出開口部７ｂより浴槽底面に向けて吹き出した両方の浴槽水の流れによって、図１０に示す従来の構成よりも効率よく撹拌すること出来る。従って、浴槽水を加熱するときに生じる、浴槽１に浴槽の底部の温度が低く表層が高いような温度分布が形成されず、快適な入浴環境を提供することが出来る。
【００２３】
また、浴槽１の浴槽水の温熱を利用して給湯水の加熱を行うとき、浴槽１の浴槽水は急速、かつ均一に冷却することが出来るので、浴槽水に存在する雑菌の増殖を抑制することが出来るばかりでなく、雑菌に起因するヌメリ等による汚れの発生を防止することが出来る。
【００２４】
また、浴槽が効率よく撹拌することができるので、浴槽へ付着する浮遊物や雑菌の剥離効果が作用し、装置の信頼性と耐久性が向上する。
【００２５】
以上のように、本実施例においては浴槽水回路９から浴槽１内に浴槽水を浴槽水面と浴槽底面に向けて吹き出すような吐出開口部７ａ、７ｂを設けた風呂アダプター５を設けたことにより、浴槽１の浴槽水を効率よく撹拌することが出来るので、浴槽１に浴槽の底部の温度が低く表層が高いような温度分布が形成されない。従って、浴槽１の浴槽水の温熱を最大限に利用して給湯水の加熱運転を行うことが出来る。また、浴槽１の浴槽水の加熱運転を行うときにおいても、効果的に浴槽１の浴槽水を撹拌することが出来るので、装置の効率が向上するとともに、快適な入浴環境を提供することが出来る。
【００２６】
図１において、浴槽水を吸入する吸入開口部８は、１カ所としているが、複数の吸入開口部を設けることも可能である。
【００２７】
また、風呂アダプター５の取り付け角度を１８０°回転させて、風呂アダプター５の吐出開口部７ａより浴槽底面に向けて浴槽水を吹き出し、吐出開口部７ｂより浴槽水面に向けて浴槽水を吹き出す様に設置しても、浴槽１内の浴槽水を効率よく撹拌することが出来る。
【００２８】
また、図４は、図３とは異なる形態のヒートポンプ風呂給湯機であり、図３の回路切替弁２４、回路開閉弁２２ａ、２２ｂ、逆止弁２３ａ、２３ｂ、２３ｃの代わりに、回路開閉弁２２ｃ、２２ｄ、２２ｅ、ヒートポンプ回路２１を設置している。ヒートポンプ風呂給湯機を図４の構成としても、浴槽に形成される温度差を解消して浴槽の温熱を有効に利用して給湯の加熱運転を行うヒートポンプ風呂給湯機とすることができる。
【００２９】
また、本実施例のヒートポンプサイクルに用いる冷媒を、自然冷媒、あるいは可燃性冷媒としても、浴槽に形成される温度差を解消して浴槽の温熱を有効に利用して給湯の加熱運転を行うヒートポンプ風呂給湯機とすることができる。
【００３０】
また、本実施例では、浴槽水の温熱を給湯の加熱に利用した例を示したが、浴槽水の温熱を熱源として、暖房、乾燥を行う装置に利用しても、浴槽に形成される温度差を解消し、浴槽水の温熱を最大限に活用して、効率の高い暖房、または乾燥を行う装置とすることが出来る。
【００３１】
（実施例２）
図５（ａ）、（ｂ）は、本発明の実施例２のヒートポンプ風呂給湯機の風呂アダプターの垂直断面の模式図である。図５（ａ）において、２５は風呂アダプター、８ａ、８ｂは浴槽１内の浴槽水を吸入する吸入開口部であり、吸入開口部８ａ、８ｂより風呂アダプター２５へ流入した浴槽水は、風呂アダプター流出口６ｂ、浴槽水回路流入口９ｂを経由して浴槽水回路９へ戻る。ここで、図５（ｂ）で示すように、浴槽水回路流出口９ａと風呂アダプター流出口６ｂ、浴槽水回路流入口９ｂと風呂アダプター流入口６ａを接続するような逆接続を行った場合、吸入開口部８ａは浴槽水を浴槽水面へ向けて吹き出し、吸入開口部８ｂは浴槽水を浴槽底面へ向けて吹き出すように設置されている。このとき、浴槽１内の浴槽水は、吐出開口部７ａ、７ｂより吸入されて浴槽水回路９へ流れる。
【００３２】
以上のように構成されたヒートポンプ風呂給湯機について、以下その動作、作用を説明する。
【００３３】
浴槽１の浴槽水の温熱を利用して給湯水の加熱を行うとき、ヒートポンプ回路は第１の実施例と同様の動作を行う。本実施例でも同様に、図５（ａ）に示すように、浴槽水回路流出口９ａと風呂アダプター流入口６ａを接続して、風呂ポンプ１８より搬送される浴槽水は吐出開口部７ａより浴槽水面に向けて吹き出し、吐出開口部７ｂより浴槽底面に向けて吹き出す。このとき、浴槽水面と底面に向けて吹き出した浴槽水の流れによって、浴槽１内の浴槽水を効率よく撹拌することが出来るから、図１２に示すような温度差は形成されない。
【００３４】
また、図５（ｂ）に示すように、浴槽水回路流出口９ａと風呂アダプター流出口６ｂ、浴槽水回路流入口９ｂと風呂アダプター流入口６ａを接続するような逆接続を行っても、吸入開口部８ａより浴槽水面に向けて吹き出した浴槽水と、８ｂより浴槽底面に向けて吹き出した浴槽水の流れによって、浴槽１内の浴槽水を効率よく撹拌することが出来る。
【００３５】
以上のように、本実施例においては浴槽水回路９から浴槽１内に浴槽水を浴槽水面と浴槽底面に向けて吹き出すような吸入開口部８ａ、８ｂを有する風呂アダプター２５を設けたことにより、本装置の施工時において、誤って浴槽水回路流出口９ａと風呂アダプター流出口６ｂを接続するような逆接続を行っても、浴槽１内の浴槽水を効率よく撹拌することが出来るから、図１２に示すような温度差は形成されない。従って、本発明のヒートポンプ風呂給湯機の効果を損なうことなく、装置の施工性を大幅に向上させることが出来る。また、浴槽１内の浴槽水を吸い込む風呂アダプターの開口部を、吸入開口部８ａ、８ｂとしたとき、一方の開口部８ａが浴槽水中の浮遊物等で閉塞されても、他方の開口部８ｂより浴槽水を吸い込むことが出来るので、装置の運転を停止することなく給湯水の加熱運転が出来るばかりでなく、装置の信頼性と耐久性が向上する。
【００３６】
また、図５（ａ）、（ｂ）において、吸入開口部８ａは吐出開口部７ａと、吸入開口部８ｂは吐出開口部７ｂと同一の高さとなる構成となっているが、図６（ａ）、（ｂ）に示すように、吸入開口部２７ａ、２７ｂを吐出開口部７ａ、７ｂと異なる高さの風呂アダプター２６としても浴槽１の浴槽水を効率よく撹拌することが出来る。ここで、図６（ａ）はＢ方向からの風呂アダプター５の側面の模式図、図６（ｂ）はＡ方向からの風呂アダプター５の正面を模式的に示した図である。また、図６（ｃ）、（ｄ）に示すように、図６（ａ）、（ｂ）に対して浴槽水回路９と風呂アダプター２６の逆接続を行っても、吸入開口部２７ａ、２７ｂより浴槽水面と浴槽底面に向けて吹き出される浴槽水の流れによって浴槽１内の浴槽水を効果的に撹拌することが出来る。ここで、図６（ｃ）はＤ方向からの風呂アダプター２６の側面図、図６（ｄ）はＣ方向からの風呂アダプター２６の正面を模式的に示したものである。
【００３７】
また、図６（ａ）、（ｂ）において、吸入開口部は２７ａ、２７ｂの２カ所としているが、図７（ａ）、（ｂ）に示すように、吸入開口部２７ｃ、２７ｄを増設することも可能であり、浴槽１内の浴槽水の撹拌効果をさらに向上させることが出来る。ここで、図７（ａ）はＢ方向からの風呂アダプター２８の側面を模式的に示した図、図７（ｂ）はＡ方向からの風呂アダプター２８の正面を模式的に示した図である。また、図７（ｃ）、（ｄ）に示すように、図７（ａ）、（ｂ）に対して浴槽水回路９と風呂アダプター２８の逆接続を行っても、吸入開口部２７ａ、２７ｂ、２７ｃ、２７ｄより浴槽水面と浴槽底面に向けて吹き出される浴槽水の流れによって浴槽１内の浴槽水を効果的に撹拌することが出来る。ここで、図７（ｃ）はＤ方向からの風呂アダプター２８の側面の模式図、図５（ｄ）はＣ方向からの風呂アダプター２８の正面を模式的に示した図である。
【００３８】
（実施例３）
図８（ａ）、（ｂ）は、本発明の実施例３のヒートポンプ風呂給湯機の風呂アダプターの垂直断面の模式図である。図８（ａ）、（ｂ）は図７（ａ）、（ｂ）の吐出開口部７ａ、７ｂに加えて吐出開口部７ｃ、７ｄを増設した風呂アダプター２９である。吐出開口部７ｃ、７ｄより吹き出す浴槽水は浴槽側壁面に向けて流れる。
【００３９】
以上のように構成されたヒートポンプ風呂給湯機について、以下その動作、作用を説明する。
【００４０】
浴槽の上下に向かう浴槽水の流れに加えて、吐出開口部７ｃ、７ｄより吹き出す浴槽水は浴槽側壁面に向けて流れるので、浴槽１内の浴槽水の撹拌効果は、実施例１、および実施例２よりさらに向上させることが出来る。また、図９（ａ）、（ｂ）に示すように、風呂アダプター２９を浴槽の長手方向に取り付けた場合でも、浴槽を効率よく攪拌することができる。さらに、取り付け角度を９０°、１８０°、２７０°回転させても、浴槽水の吹き出す向きは変わらないから、風呂アダプターの設置自由度が増し、風呂アダプターを浴槽１へ装着する際の施工が容易となる。ここで、図８（ａ）はＢ方向からの風呂アダプター２９の側面の模式図、図８（ｂ）はＡ方向からの風呂アダプター２９の正面を模式的に示した図である。図９（ａ）は風呂アダプター２９を設置した浴槽１を側面から見たときの模式図、図９（ｂ）は風呂アダプター２９を設置した浴槽１を上方（Ａ方向）から見たときの模式図である。また、図８（ｃ）、（ｄ）に示すように、図８（ａ）、（ｂ）に対して浴槽水回路９と風呂アダプター２９の逆接続を行っても、吸入開口部２７ａ、２７ｂより浴槽水面と浴槽底面に向けて吹き出される浴槽水の流れによって浴槽１内の浴槽水を効果的に撹拌することが出来る。ここで、図８（ｃ）はＤ方向からの風呂アダプター２９の側面図、図８（ｄ）はＣ方向からの風呂アダプター２９の正面図を模式的に示したものである。また、図１、図５（ａ）、（ｂ）、図６（ａ）、（ｂ）、（ｃ）、（ｄ）において、吐出開口部を増設して浴槽側壁面へ向けた浴槽水の流れを形成させても、浴槽水の撹拌する効果は向上させることが出来る。
【００４１】
また、風呂アダプターは図１、図５（ａ）、（ｂ）、図６（ａ）、（ｂ）、（ｃ）、（ｄ）、図７（ａ）、（ｂ）、（ｃ）、（ｄ）、図８（ａ）、（ｂ）、（ｃ）、（ｄ）において円筒状としているが、直方体、あるいは、これら融合体となる形状の風呂アダプターに吐出開口部、ならびに、吸入開口部を設置した構造であっても構わない。
【００４２】
【発明の効果】
以上のように、本発明によれば、浴槽の浴槽水の温熱を利用して給湯水の加熱運転を行うとき、風呂アダプターからの上下に向けて吹き出す浴槽水の流れで、浴槽を十分に撹拌させることが出来るので、浴槽の上下の温度差を解消して、浴槽の浴槽水の温熱を最大限に利用して給湯水の加熱を行うことができるヒートポンプ風呂給湯機とすることが出来る。
【図面の簡単な説明】
【図１】  本発明の実施例１における同ヒートポンプ風呂給湯機の風呂アダプターの垂直断面の模式図
【図２】  同ヒートポンプ風呂給湯機の構成図
【図３】  同ヒートポンプ風呂給湯機の構成図
【図４】  同ヒートポンプ風呂給湯機の構成図
【図５】  （ａ）実施例２におけるヒートポンプ風呂給湯機の風呂アダプターの垂直断面の模式図
（ｂ）同ヒートポンプ風呂給湯機の風呂アダプターの垂直断面の模式図
【図６】  （ａ）同ヒートポンプ風呂給湯機の風呂アダプターの側面の模式図
（ｂ）同ヒートポンプ風呂給湯機の風呂アダプターの正面の模式図
（ｃ）同ヒートポンプ風呂給湯機の風呂アダプターの側面の模式図
（ｄ）同ヒートポンプ風呂給湯機の風呂アダプターの正面の模式図
【図７】  （ａ）同ヒートポンプ風呂給湯機の風呂アダプターの側面の模式図
（ｂ）同ヒートポンプ風呂給湯機の風呂アダプターの正面の模式図
（ｃ）同ヒートポンプ風呂給湯機の風呂アダプターの側面の模式図
（ｄ）同ヒートポンプ風呂給湯機の風呂アダプターの正面の模式図
【図８】  （ａ）実施例３におけるヒートポンプ風呂給湯機の風呂アダプターの側面の模式図
（ｂ）同ヒートポンプ風呂給湯機の風呂アダプターの正面の模式図
（ｃ）同ヒートポンプ風呂給湯機の風呂アダプターの側面の模式図
（ｄ）同ヒートポンプ風呂給湯機の風呂アダプターの正面の模式図
【図９】  （ａ）同風呂アダプターを設置した浴槽の側面の模式図
（ｂ）同風呂アダプターを設置した浴槽を上方から見た模式図
【図１０】  従来の風呂アダプターの構成図
【図１１】  従来のヒートポンプ給湯機の構成図
【図１２】  同ヒートポンプ風呂給湯機の浴槽の水深と浴槽水温度との関係を示した図
【符号の説明】
１  浴槽
５、２５、２６、２８、２９  風呂アダプター
７ａ、７ｂ、７ｃ、７ｄ  吐出開口部
８ａ、８ｂ、８ｃ、８ｄ、２７ａ、２７ｂ、２７ｃ、２７ｄ  吸入開口部
９  浴槽水回路
１０  圧縮機
１３  給湯熱交換器
１４  給湯水回路
１７  風呂熱交換器
２１  ヒートポンプ回路
【図１】
0003843789.tif 000002
【図２】
0003843789.tif 000003
【図３】
0003843789.tif 000004
【図４】
0003843789.tif 000005
【図５】
0003843789.tif 000006
【図６】
0003843789.tif 000007
【図７】
0003843789.tif 000008
【図８】
0003843789.tif 000009
【図９】
0003843789.tif 000010
【図１０】
0003843789.tif 000011
【図１１】
0003843789.tif 000012
【図１２】
0003843789.tif 000013